(57)【要約】      （修正有）【課題】不意の地震の揺れや家具の移動時の傾き、人為的傾き等で開放されようとする現象を防止する収納家具等の開き扉を提供する。【解決手段】収納家具等の開き扉に装着する把っ手本体の把握部分６を一定距離を移動できる手動操作部とし、その手動操作部と扉の内面に装着する錠止作動体内の錠止用ロッドとを方向自在にできる鋼製ワイヤー８、９で連繋し、手動操作部が非操作状態で開き扉を閉止すると錠止部１１ｂが同作動体内の鋼製スプリング１０の反力により布勢され、戸棚本体に装着された被錠止部材の被錠止部１６ａに強制的に錠止されるものであり錠止位置は上方、下方とも任意となる。その開き扉の開放は手動操作部である把っ手を掴み通常の開放動作を行うことにより連繋された錠止用ロッドが牽引され、同時に鋼製スプリングが収縮し錠止部が被錠止部より離脱解錠し開き扉が開放される。【選択図】図１
2004308421.tif 000002
【特許請求の範囲】
【請求項１】
収納家具等の開き扉に装着される把っ手本体の把握部自体を一定距離を移動できる手動操作部として、該手動操作部と開き扉の内側に装着される錠止作動体内の錠止用ロッドとが微調整用のターンバックルを介し鋼製ワイヤーにて連繋され、該手動操作部が非操作状態のとき、錠止作動体内の錠止用ロッドが鋼製スプリングの反力によって常時布勢され錠止部が被錠止部に強制的に錠止された状態を保持する装置。開き扉の開放に当たっては通常の扉開放動作上において、把っ手本体である手動操作部を移動操作することにより鋼製ワイヤーを扉開放側に牽引し、鋼製ワイヤーで連繋された錠止作動体内の錠止用ロッドが同時に鋼製スプリングを圧縮しながら移動し錠止部が被錠止部から離脱、解錠される開き扉の把っ手連動自動錠止具。
【請求項２】
収納家具等の開き扉に装着される把っ手本体である手動操作部と、その開き扉の内側に装着される錠止作動体とが方向自在な鋼製ワイヤーで連繋されることにより、把っ手と錠止作動体が互いにその装着位置を拘束されない開き扉の把っ手連動自動錠止具。
【請求項３】
収納家具等の開き扉に装着される把っ手本体である手動操作部と、その開き扉の内側に装着される錠止作動体とが方向自在な鋼製ワイヤーで連繋されることにより、把っ手と錠止作動体が互いにその装着位置を拘束されないことから一式の把っ手本体の装置で錠止作動体を上方、下方ともに装着でき収納家具本体に複数の錠止が可能な開き扉の把っ手連動自動錠止具。
【発明の詳細な説明】
【技術分野】
【０００１】  本発明は収納家具等の開き扉が地震の揺れによる内容物の圧迫、本体の傾き、或いは人為的傾き等で開放されようとする現象を防止する開き扉の自然開放防止装置に関するものである。
【背景技術】
【０００２】  従来における収納家具等の開き扉に関する自然開放防止装置は、地震時の揺れ、若しくは他の外力を関知しないと機能しないものがあるがこれはその時点で１００％機能するか不安が残る、又、常時閉止状態を保つ装置のものも把っ手と錠止装置の相関関係により把っ手の取り付け位置が限定されるもの、扉が左右一対必要なもの、或いはその解錠に用いる弾性材により扉の周囲に間隙が生じ塵埃や害虫の侵入を容易にしているものがある。
【特許文献１】特開平１１−２６４２７１号公報
【特許文献２】特開平９−２７３３４８号公報
【特許文献３】特会平２００２−２１４０６号公報
【発明の開示】
【発明が解決しようとする課題】
【０００３】  本発明は、収納家具等の開き扉の日常における開閉動作上においてその開き扉を閉止すれば自動的に錠止され常時自然開放防止状態が保持できるものであり、不意の地震の揺れによる内容物の飛出し散乱、或いは家具の移動時における傾きにより妄りに開放して損傷を受けることを防ぐもので特に地震災害時には避難上有効であること。そしてその錠止の解錠については通常の開き扉開放動作上の単一動作で容易且つ速やかに行えるもので又、該装置の装着にあたっては各扉の開放端の上下方何れでもその端部から一定距離をおいた任意な位置に可能であり、把っ手本体と錠止作動体とは互いに装着位置を拘束されないこと。
【課題を解決するための手段】
【０００４】  本発明は上記の目的を達成するために収納家具等の各開き扉に装着する把っ手本体の把握部分を一定距離を移動できる手動操作部とし、その手動操作部と扉の内面に装着する錠止作動体とを方向自在に出来る鋼製ワイヤーで連繋し、開き扉を閉止すれば自動的に錠止され、その開放に当たっては手動操作部を牽引操作しなければ開放されない装置である。【０００５】  その錠止作動体は、閉じられた一端に鋼製ワイヤー用の透孔を有し他端の開口側に錠止用ロッドを誘導する爪部を有する中空管のロッドケースに、鋼製スプリングを先行挿入し、予め鋼製ワイヤーを結束した誘導用溝レールを有する錠止用ロッドをその爪部と溝レールが掛かり合うように装填し前記の透孔より鋼製ワイヤーを抜き出しそれに微調整用ターンバックルを結束し一体化したものと、該ターンバックルの他端に把っ手手動操作部と連繋する鋼製ワイヤー、その鋼製ワイヤーを受けて円滑に作動させるための通しビス、更に該ロッドケースを収容し支持固定する外装中空管ケースとで構成される。【０００６】  その錠止作動体内の錠止用ロッドと把っ手の手動操作部とは微調整用のターンバックルを介し鋼製ワイヤーにて連繋され、把っ手の手動操作部が非操作状態で開き扉の装着面に接している定位置の時、錠止作動体内の錠止用ロッドが同作動体内の鋼製スプリングにより常時付勢され錠止部が家具本体に装着された被錠止部材の被錠止部に強制的に錠止され開き扉の閉止状態を保持し自然開放を防止するものである。【０００７】  開き扉の開放に当っては通常の開放動作上において、それ自体手動操作部である把っ手を把握し手前に牽引すると把握部のみが内蔵されたシリンダー部分で移動し鋼製ワイヤーで連繋された錠止作動体内の錠止用ロッドが同時に鋼製スプリングを圧縮しながら移動し、錠止部が被錠止部から離脱、解錠されて扉が開放される状態となる開き扉の把っ手連動自動錠止具とする。【０００８】  そして把っ手本体の装着位置は、把っ手の手動操作部と錠止作動体とを連繋する鋼製ワイヤーの長さとそれに応じた外装中空管ケースの長さを変えることにより、開き扉の開放端寄りの外面の上下方向において各々の端部より一定距離を除いた任意の位置に装着出きるものである。又、開き扉の内側に装着される錠止作動体は方向を拘束されない鋼製ワイヤーで把っ手の手動操作部と連繋され、錠止作動体内の鋼製スプリングの反力により錠止用ロッドが常時布勢され錠止部が被錠止部に強制的に錠止される為、錠止方向は任意であり錠止作動体及び外装中空管ケースの装着位置は上下方何れでも可能である。
【発明の効果】
【０００９】  本発明の開き扉の把っ手連動自動錠止具は収納家具等の開き扉を通常の開閉動作で閉止すると同時に開き扉が錠止され常に自然開放防止状態を保持出来る装置で、不意の地震の揺れによる内容物の飛び出し散乱を防止し、その避難を容易にするものである。特に陶器、ガラス器類の収納家具には有効である。又、家具の移動作業においてもその傾きにより扉が妄りに開いて損傷することを防止するものである。そして把っ手の把握部である手動操作部と錠止作動体を鋼製ワイヤーで連繋することからその開閉に煩わしい余分な動作の必要な自然開放防止器具等は不要となる。
【発明を実施するための最良の形態】
【００１０】  以下本発明の収納家具等における開き扉の把っ手連動自動錠止具の実施形態を図面に基づいて説明する。図示の実施例に於いて収納家具等本体１に蝶番、或いはバネ式蝶番等一般的方法で開閉自在に設けられた各開き扉毎に本発明の装置を装着するものである。【００１１】  図１は本発明の実施例の側面断面図であり開き扉の開放動作を行っていない扉の閉止状態を示すもので、把っ手本体の手動操作部である把握部６が非操作状態で６ｄ側が開き扉の装着面に接している定位置にあり、家具本体１の床板１ａ向きに装着された錠止作動体内の錠止用ロッド１１の錠止部１１ｂが被錠止部材１６の被錠止部１６ａに掛かり合い、錠止された状態を示すものである。【００１２】  図２は同じく側面断面図であるが通常の扉の開放動作上において、手動操作部である把っ手本体の把握部６を把握し開放動作を行ったとき該把握部が一定距離移動し鋼製ワイヤー８、微調整用ターンバックル２０、鋼製ワイヤー９により連繋されたロッドケース１２内の錠止用ロッド１１が牽引され鋼製スプリング１０の圧縮とともに移動し、家具本体の床板１ａに装着された被錠止部材の被錠止部１６ａより錠止部１１ｂが離脱、解錠された状態を示すものである。【００１３】  図３は本発明が外側の把っ手本体の把握部６と内側の錠止用ロッド１１が方向自在の鋼製ワイヤーで連繋されていることから、錠止用ロッドを家具本体の天板１ｂ向きに装着した実施例の側面断面図である。この場合、把っ手の把握部が非操作状態の定位置にあるとき、錠止作動体ケース内の錠止用ロッド１１が同ケース内の鋼製スプリング１０の反力により家具本体の天板１ｂに装着された被錠止部材１６の被錠止部１６ａに強制的に布勢され該錠止部１１ｂが常時錠止状態を保持するものである。【００１４】  図４は開き扉の閉止時における本発明の開き扉の把っ手連動自動錠止具の非操作状態を示す図１の側面立面図及び俯瞰図、家具内から見た正面立面図である。以下各図について説明をする。【００１５】図１、図２、図３、図４、図５において３は把っ手本体の母体であるシリンダー軸である。シリンダー軸３は一方に開き扉２に装着する為の透孔３ｄを有する鍔３ｃをもつ円柱状の部材で、その中心部には鋼製ワイヤー８を挿通すための透孔３ａが穿たれ、円柱面の中程には後述する把っ手本体手動操作部の可動範囲を限定する止めネジを装着する為の穿孔３ｂが設けられたものである。シリンダー軸３の装着にあたっては、予め開き扉２に鋼製ワイヤー８を挿通す透孔を適宜の径で穿ちその透孔にシリンダー軸の透孔３ａを合わせ鍔３ｃを透孔３ｄでネジ止め固定する。【００１６】  次に図１、図２、図３、図６において４は把っ手本体におけるシリンダー外筒である。シリンダー外筒４は一方が開口４ａでその周囲には固定用の透孔４ｅをもつ鍔４ｄがあり、閉じられた他端に鋼製ワイヤー８を挿通す為の透孔４ｂをもつ中空管で、且つ筒部の中程から鍔部にかけ可動範囲を限定する切込み開口４ｃを設け、抜け止め８ａを施した鋼製ワイヤー８を予め透孔４ｂに外側より内側へ抜き通した後、その透孔４ｂ側より後述の把っ手本体把握部６に挿嵌し鍔部の透孔４ｅにてその鍔受け座６ｂにネジ止めし手動操作部として一体化するものである。【００１７】  図１、図２、図３、図４、図８において６は把っ手本体の把握部である。該把握部６はシリンダー外筒４の筒部分を収容する穿孔６ａ、鍔受け座６ｂ、ネジ止め用穿孔６ｃ、可動範囲を限定する止めネジ挿入用の透孔６ｄ、同用切欠き室６ｅを有するものである。該把握部は前段のごとく鋼製ワイヤー８を挿通したシリンダー外筒をその切り込み開口４ｃと切欠き室６ｅを合致させつつ挿嵌一体化して手動操作部として機能するものであり、図７の輪状緩衝材５を装着の上、鋼製ワイヤー８の先端を前もって開き扉に装着済みのシリンダー軸の透孔３ａに挿通し戸棚内側に抜き出した後、シリンダー軸円柱部をシリンダー外筒内に収容しその鍔面が輪状緩衝材を介し、シリンダー軸の鍔３ｃに接した状態で前述の把握部の透孔６ｄとシリンダー軸の止めネジ用穿孔３ｂとの中心を合致させ、止めネジ７を挿入し締め付けて把っ手本体の開き扉への装着を完了する。【００１８】  次に図１、図２、図３、図４、図１０において１１は錠止用ロッドである。該錠止用ロッドは一端は鋼製ワイヤー結束用の輪状透孔１１ａ、他端は錠止部１１ｂで、該錠止部は後述の被錠止部に掛り合いを円滑にさせるべく、収納家具内部に正対面する面が放物線の断面をなすように削り成形された部分である。そして収納家具外部側に面する端部には同じく後述するロッドケースの爪部１２ｂを受ける爪部外れ止め１１ｄを設け、更にその爪部と掛かり合う誘導用溝レール１１ｃをそこから他端まで穿ち設けたものである。【００１９】  次に図１、図２、図３、図１１において１２は前記錠止用ロッドを収容するロッドケースである。該ロッドケースは閉じられた一端に鋼製ワイヤー９を挿通す為の透孔１２ａ、他端の開口部の収納家具外部側に面する部分の内側に錠止用ロッドの誘導用の爪部１２ｂ、そして透孔１２ａ寄りの収納家具内部に面する側に後述の外装中空管に挿嵌し固定するための透孔１２ｃを有する中空管である。該ロッドケースに図１、図２、図３、図９に示す鋼製スプリング１０を先行挿入する、該スプリングの長さは前記の手動操作部が非操作状態でシリンダー軸の鍔３ｃに接しているとき、次に装填する錠止用ロッド１１の錠止部１１ｂが後述の被錠止部１６ａとの掛かり合いに支障がない程度にロッドケースの開口部より突出させられる長さとする。そして予め輪状透孔１１ａに鋼製ワイヤー９を結束した錠止用ロッドをその誘導用溝レール１１ｃとロッドケースの爪部１２ｂとを掛り合わせて装填し、鋼製ワイヤーの他端を先行挿入した鋼製スプリングの内を通し、ロッドケースの透孔１２ａより抜き出しその端部にターンバックル２０を結束し錠止作動体として一体化を図る。【００２０】  次に前記の収納家具本体の内側に抜き出しておいた把っ手側の鋼製ワイヤー８をその屈曲部が図１、図２、図３、図４に示すワイヤー受け通しネジ１４と概ね同等の部位に保持された状態で、且つ錠止部１１ｂの先端が収納家具本体１ａ又は１ｂの表面に接する程度に長さ調製の上、前記ターンバックル２０の他方に結束し、更に該ターンバックルで微調整を行った後、該ターンバックルのネジ部に軽金属板等の戻り止め２１を施し錠止用ロッドの鉛直方向の部位を確定する。以上で開き扉表側の把っ手と内���の錠止作動体が連繋された状態となる【００２１】  次に図１、図２、図３、図４、図１２における１３はその錠止作動体として一体を成したロッドケースを収容し固定する外装中空管ケースである。該外装中空管ケースは両端開口で該ロッドケースを外装中空管ケース１３にその開口１３ｂ側より挿嵌し、それぞれの透孔１２ｃと透孔１３ｅとを合致させ短ネジ１５にてねじ締め固定し更に錠止作動体と外装中空管ケースの一体化を図る。このとき錠止作動体のロッドケースの開口１２ｂと外装中空管ケースの開口１３ａとは面一の状態であり、前述の錠止部１１ｂと被錠止部１６ａとの掛かり合いに支障がない状態となる。そして該外装中空管ケースの透孔１３ｄに鋼製ワイヤー８がスリット１３ｃを通りその外側に掛かるように通しネジ１４を装着した後、錠止部先端が収納家具本体の１ａ又は１ｂに接することを確認し、該外装中空管ケースを開き扉の内側に固定バンド１７及びずれ止めのパッキング１８を用い開き扉の内面の下向き又は上向きに装着固定する。【００２２】  最後に被錠止部材１６を錠止作動体の装着位置に応じ家具本体の床板１ａ又は天板１ｂに被錠止部１６ａが錠止部１１ｂに掛かり合う位置に装着する。
【図面の簡単な説明】
【００２３】
【図１】錠止部材を戸棚本体の床板側に装着した、開き扉の錠止状態を示す実施例の側面断面図。
【００２４】
【図２】錠止部材を戸棚本体の床板側に装着した、開き扉の錠止解除状態を示す実施例の側面断面図
【００２５】
【図３】錠止部材を戸棚本体の天板側に装着した、開き扉の錠止状態を示す実施例の側面断面図
【００２６】
【図４】錠止部材を戸棚本体の床板側に装着した、開き扉の錠止状態に於ける、（Ａ）は側面立面図、（Ｂ）は正面立面図、（Ｃ）は俯瞰図。
【００２７】
【図５】把っ手本体シリンダー軸詳細図、（Ａ）平断面図、（Ｂ）側断面図、（Ｃ）横断面図、（Ｄ）俯瞰図
【００２８】
【図６】シリンダー外筒詳細図、（Ａ）平断面図、（Ｂ）側断面図、（Ｃ）正面図、（Ｄ）俯瞰図
【００２９】
【図７】輪状緩衝材詳細図、（Ａ）正面図、（Ｂ）側断面図
【００３０】
【図８】把っ手本体把握部詳細図，（Ａ）平断面図、（Ｂ）側断面図、（Ｃ）横断面図（Ｄ）俯瞰図
【００３１】
【図９】鋼製スプリング立面図
【００３２】
【図１０】錠止用ロッド詳細図、（Ａ）側面断面図、（Ｂ）俯瞰図、（Ｃ）水平断面図
【００３３】
【図１１】ロッドケース詳細図、（Ａ）側面断面図、（Ｂ）正面立面図（戸棚内部より外向き）、（Ｃ）俯瞰図、（Ｄ）水平断面図
【００３４】
【図１２】外装中空管ケース詳細図、（Ａ）側面断面図、（Ｂ）正面断面図（戸棚内部より外向き）
【００３５】
【図１３】被錠止部材詳細図、（Ａ）横断面図、（Ｂ）側面断面図、（Ｃ）俯瞰図
【符号の説明】
【００３６】  １  収納家具本体
１ａ床板
１ｂ天板
２  開き扉
３  把っ手本体シリンダー軸
３ａ透孔
３ｂ穿孔
３ｃ鍔
３ｄ透孔
４  シリンダー外筒
４ａ開口
４ｂ透孔
４ｃ切込み開口
４ｄ鍔
４ｅ透孔
５  輪状緩衝材
５ａ透開口
６  把っ手本体把握部
６ａ穿孔
６ｂ鍔受け座
６ｃ穿孔
６ｄ透孔
６ｅ切欠き室
７  止めネジ
８  鋼製ワイヤー
８ａ抜け止め
９  鋼製ワイヤー
１０  鋼製スプリング
１１  錠止用ロッド
１１ａ輪状透孔
１１ｂ錠止部
１１ｃ溝レール
１１ｄ爪部外れ止め
１２  ロッドケース
１２ａ透孔
１２ｂ爪部
１２ｃ透孔
１３  外装中空管ケース
１３ａ開口
１３ｂ開口
１３ｃスリット
１３ｄ透孔
１３ｅ透孔
１４ｂ通しネジ
１５  短ネジ
１６  被錠止部材
１６ａ被錠止部
１６ｂ透孔
１６ｃＲ面
１７  固定バンド
１８  パッキング
１９  化粧蓋
２０  ターンバックル
２１  戻り止め
【図１】
2004308421.tif 000003
【図２】
2004308421.tif 000004
【図３】
2004308421.tif 000005
【図４】
2004308421.tif 000006
【図５】
2004308421.tif 000007
【図６】
2004308421.tif 000008
【図７】
2004308421.tif 000009
【図８】
2004308421.tif 000010
【図９】
2004308421.tif 000011
【図１０】
2004308421.tif 000012
【図１１】
2004308421.tif 000013
【図１２】
2004308421.tif 000014
【図１３】
2004308421.tif 000015